(57)【要約】【課題】軒樋を仮止めした状態で時間をかけて位置調整を行なうことができ、接着剤が掻き取られることもなく、強固に接着して軒樋を接続できる作業性の良好な軒樋用内継手及び該内継手を用いた軒樋接続方法を提供する。【解決手段】軒樋１０と軒樋１０を接続する内継手であって、軒樋１０の内面に沿った形状の前面部２０と底面部２１と後面部２２を備え、且つ、その長さ方向の中間部に開口部２ａが形成された仮止用部材２と、軒樋の内面に沿った形状の前面部３０と底面部３１と後面部３２を備えた上記開口部２ａに嵌込まれる接着用部材３からなる軒樋用内継手１とする。本発明の軒樋接続方法は、軒先において接続すべき軒樋１０の端部同士を、上記軒樋用内継手１の仮止用部材２で仮止めし、その後、軒樋用内継手１の接着用部材３を上記軒樋１０の端部に接着して接続する。【選択図】図１
2006045767.tif 000002
【特許請求の範囲】
【請求項１】
軒樋と軒樋を接続する内継手であって、軒樋の内面に沿った形状の前面部と底面部と後面部を備え、且つ、その長さ方向の中間部に開口部が形成された仮止用部材と、軒樋の内面に沿った形状の前面部と底面部と後面部を備えた上記開口部に嵌込まれる接着用部材からなることを特徴とする軒樋用内継手。
【請求項２】
接着用部材の外面に、その前面部から底面部を経て後面部に至る溝を設け、その溝にパッキンを嵌着したことを特徴とする請求項１に記載の軒樋用内継手。
【請求項３】
接着用部材の接着剤塗布部に該塗布部の目印を付けたことを特徴とする請求項１または請求項２に記載の軒樋用内継手。
【請求項４】
仮止用部材の長さ方向の中間部に目印を付けたことを特徴とする請求項１ないし請求項３のいずれかに記載の軒樋用内継手。
【請求項５】
仮止用部材の前面部の左右上部と後面部の左右上部を補強材で連結したことを特徴とする請求項１ないし請求項４のいずれかに記載の軒樋用内継手。
【請求項６】
軒先において接続すべき軒樋の端部同士を、請求項１ないし請求項５のいずれかに記載された軒樋用内継手の仮止用部材で仮止めし、その後、軒樋用内継手の接着用部材を上記軒樋の端部に接着して接続することを特徴とする軒樋接続方法。
【発明の詳細な説明】
【技術分野】
【０００１】
本発明は、美観を損なうことなく軒樋と軒樋を接続できる軒樋用内継手に関する。
【背景技術】
【０００２】
従来より、軒樋と軒樋の接続は内継手と外継手を用いて軒樋本体を挟着する方法で行なわれてきた。しかしながら、これらの継手を用いて軒樋を接続すると、継手が軒樋接続部分の外面に露出して段差を生じ、美観を損なうという問題があった。
【０００３】
かかる問題に対処するため、近年、内継手のみで軒樋同士を接続する方法が採用されるようになった。しかし、内継手のみで軒樋を接続する方法は、軒樋同士の突き合わせ部が外面に露出するため、当該突き合わせ部からの接着剤漏れが目立ったり、止水性が低下するなどの新たな問題が生じるようになった。そこで、外側片と底片と内側片とから構成された継手本体の、外側片上端より底片の内側片端部までを切り欠いて、切り起こしが可能な可動外側片と可動底片とが連続した接着用可動部を形成した内継手が提案されている（特許文献１）。
【０００４】
しかし、軒樋の接続に上記の内継手を用いると、継手が軒樋の内面に位置するので段差が生じず、建物の美観を損なうことがない反面、次のような問題があった。
【０００５】
即ち、上記の内継手は、継手本体と接着用可動部が一体的に形成されているので、軒樋の接続作業の際は必ず事前に接着剤を接着用可動部に塗布しておかなければならず、そのため、軒樋の仮止めが長時間に及ぶと接着剤が乾いてしまうという問題があった。通常の軒樋の接続作業は、接続すべき全ての軒樋を一旦継手で仮止めして全体のバランスを調節してから接着作業に入るが、上記のような内継手は、仮止めの時間を短縮しなければならないので、軒樋全体のバランスを図って接続することが困難であった。また、事前に接着剤を接着用可動部に塗布して位置調整を行なうので、接着剤が位置調整中に軒樋と接触して掻き取られるという問題もあり、かかる問題は外側片においては切り起こしにより回避されるが、起き上がりの少ない可動底片部分においては顕著であった。更に、接着用可動部は切り起こしによって内側にしなった状態になるため、切り起こしを戻して軒樋内面と接着する際には、切り起こしが充分に戻らず、軒樋と接着用可動部を密着させて強固に接着し難いという問題もあった。
【特許文献１】特開２００２−１３２５９号公報
【発明の開示】
【発明が解決しようとする課題】
【０００６】
本発明は、上記の問題に対処すべくなされたもので、その目的とするところは、軒樋を仮止めした状態で時間をかけて位置調整を行なうことができ、接着剤が掻き取られることもなく、強固に接着して軒樋を接続できる作業性の良好な軒樋用内継手及び該内継手を用いた軒樋接続方法を提供することにある。
【課題を解決するための手段】
【０００７】
上記の課題を解決するため、本発明に係る軒樋用内継手は、軒樋と軒樋を接続する内継手であって、軒樋の内面に沿った形状の前面部と底面部と後面部を備え、且つ、その長さ方向の中間部に開口部が形成された仮止用部材と、軒樋の内面に沿った形状の前面部と底面部と後面部を備えた上記開口部に嵌込まれる接着用部材からなることを特徴とするものである。
【０００８】
本発明の軒樋用内継手においては、接着用部材の外面に、その前面部から底面部を経て後面部に至る溝を設け、その溝にパッキンを嵌着することが好ましく、また、接着剤塗布部に該塗布部の目印を付けることも好ましい。そして、内継手本体の長さ方向の中間部に目印を付けることも好ましく、更に、その前面部の左右上部と後面部の左右上部を補強材で連結することも好ましい。
【０００９】
また、本発明の軒樋接続方法は、軒先において接続すべき軒樋の端部同士を、請求項１ないし請求項５のいずれかに記載された軒樋用内継手の仮止用部材で仮止めし、その後、軒樋用内継手の接着用部材を上記軒樋の端部に接着して接続することを特徴とするものである。
【発明の効果】
【００１０】
本発明の軒樋用内継手は、仮止用部材と接着用部材とから構成され、これらを別体にしたので、接続すべき双方の軒樋端部の内側に仮止用部材を嵌合して仮止めしたまま、全体のバランスを充分調整した後、接着用部材に接着剤を塗布して仮止用部材の開口部に嵌込み、軒樋の端部内面に接着用部材を接着して軒樋を接続することができる。従って、接着剤が乾いたり、接着剤が掻き取られたりすることがなく、また、内継手の位置調整の失敗もなくなり、作業性が大幅に向上する。そして、仮止用部材の開口部に嵌込まれた接着用部材は従来の一体式の内継手の接着用可動部のように内側にしなることがなく、仮止用部材と共に軒樋の端部内面に押圧されるので、強固に接着することができる。
【００１１】
また、接着用部材の外面の前面部から底面部を経て後面部に至るまで溝を設け、その溝にパッキンを嵌着した軒樋用内継手は、たとえ軒樋の接続端部内面と接着用部材の接着が不完全になったとしても、パッキンが軒樋の接続端部内面に密接して防水機能を発揮するため、軒樋の接続部分から水漏れすることはない。そして、接着用部材に過剰の接着剤を塗布したとしても、パッキンの外側に接着剤が漏れ出す心配もなくなる。更に、パッキンは弾力性を有するので、軒樋の端部相互の多少のズレを修正することもできる。この溝及び溝に嵌着したパッキンは、最低でも軒樋同士を突き合わせた接続部分に該当する接着用部材の中央に左右１本ずつ設ければ軒樋の突き合わせ部から接着剤が漏れることがないので、外観上は良好となり、また、水漏れを防ぐため複数の溝及びパッキンを設けても良い。
【００１２】
また、接着用部材の接着剤塗布部に該塗布部の目印を付けた軒樋用内継手は、塗布部が一目でわかるため作業性が向上し、また、過剰の接着剤の塗布を防止することもできる。この目印は必要数に応じて設ければ良い。
【００１３】
更に、仮止用部材の長さ方向の中間部に目印を付けた軒樋用内継手は、その目印に合わせて軒樋の端部同士を仮止用部材の中央で突き合わせて接続することができるので、当該仮止用部材の切り欠き部に接着用部材を嵌込んだときに軒樋同士の突き合わせ部から接着剤が漏れたり、はみ出ることがない。
【００１４】
そして、仮止用部材の前面部の左右上部と後面部の左右上部を補強材で連結した軒樋用内継手は、仮止用部材の強度が向上し、前後から外力が加わったとしても、その前面部や後面部が内側に変形することがないので、仮止用部材によって接着前の仮止めを確実に行なうことができる。
【００１５】
一方、本発明の軒樋接続方法は、接続すべき軒樋の端部同士を軒樋用内継手の仮止用部材で仮止めした後、軒樋用内継手の接着用部材を軒樋の端部に接着して軒樋と軒樋を接続するので、仮止用部材で仮止めしたまま、全体のバランスを充分調整することができる。そのため、接着用部材に接着剤を塗布して後に位置調整をする必要がないので、接着剤が乾いたり、接着剤が掻き取られたりすることがなく、また、内継手の位置調整の失敗もなくなり、作業性が大幅に向上する。
【発明を実施するための最良の形態】
【００１６】
以下、図面を参照して本発明の具体的な実施形態を詳述する。
図１は本発明の一実施形態に係る軒樋用内継手の斜視図、図２は同内継手の仮止用部材を示す斜視図、図３は同内継手の接着用部材を示す斜視図、図４は本発明の他の実施形態に係る軒樋用内継手の接着用部材を示す斜視図、図５は仮止用部材で軒樋を仮止めした状態を示す斜視図、図６は同内継手で軒樋を接続した状態を示す斜視図、図７は仮止用部材で軒樋を仮止めした状態を示す断面図、図８は同内継手で軒樋を接続した状態を示す断面図、である。
である。
【００１７】
図１に示す軒樋用内継手１は、合成樹脂製の仮止用部材２と、この仮止用部材２の中間の開口部に嵌込まれる合成樹脂製の接着用部材３から構成されたものであって、図６に示すように双方の軒樋１０、１０を内側から接続するものである。
【００１８】
仮止用部材２は、図２に示すように、接続すべき軒樋１０の内面の形状に沿った前面部２０と底面部２１と後面部２２を備えたもので、本実施例では、軒樋１０の内面形状に合致するように、前面部２０が、底面部２１前端から略垂直に立上がって前方へ略直角に折れ曲がり、更に斜め前方へ立上がった形状とされており、底面部２１が、平坦な板状若しくは僅かに下方へ湾曲した形状とされており、後面部２２が、底面部２１の後端から略垂直方向に立上がった形状とされている。この前面部２０の上端には、軒樋の前側耳部１０ａに内側から係合させる係合耳縁２３が形成されており、後面部２２の上端にも軒樋の後側耳部１０ｂに内側から係合させる係合耳縁２４が形成されている。そして、この係合耳縁２３、２４を残して、仮止用部材２の前面部２０、底面部２１、後面部２２の中間部分には、接着用部材３を嵌込むための開口部２ａが形成されおり、この開口部２ａを挟んで前面部２０、底面部２１、後面部２２は左右に二分されている。
【００１９】
この左右に二分された前面部２０、２０の上部と後面部２２、２２の上部は、一体に成形された板状の補強材４、４で連結されている。このような補強材４、４を設けると、左右に二分された前面部２０、２０と後面部２２、２２に前後から外力が加わっても、前面部２０、２０や後面部２２、２２が内側に傾くように変形することがないため、後述するように仮止用部材２によって軒樋１０、１０の仮止めを確実に行なうことができる。また、一方で仮止用部材２はある程度内側にしなるような弾力性がないと軒樋本体１０に嵌込むことが難しくなるので、補強材４は、前面部２０、２０と後面部２２、２２のそれぞれ中間程度の高さ位置に設けるのが良い。
【００２０】
上記の前面部２０の上端に形成される係合耳縁２３は、軒樋の耳部１０ａに対応する略コの字形の断面を備えたもので、その中間部分は底面が切り欠かれて断面が略Ｌ字型になっており、前側の係合耳縁２３の長さ方向中央には、軒樋１０、１０の端部を突き合わせる位置を示す目印２５が罫書きで付けられている。このような目印２５があると、双方の軒樋１０、１０の端部を内継手本体２の真中で突き合わせる作業が容易になるので、施工性が向上する。一方、軒樋の耳部１０ｂに係合させる後面部２２の上端に形成された係合耳縁２４は、仮止用部材２を仮止めし易いように略Ｌ字型の断面を備えたものである。
【００２１】
尚、上記の目印２５を付ける代わりに、係合耳縁２３の長さ方向中央に小さな点検窓を設けて軒樋１０、１０の端部の突き合わせ位置を確認することができるようにしてもよい。また、上記の目印２５や点検窓は、後側の係合耳縁２４に形成してもよい。
【００２２】
図３に示す接着用部材３は、接続すべき軒樋１０の内面の形状に沿った前面部３０と底面部３１と後面部３２を備えたもので、図１、図５、図６に示すように、上記の仮止用部材２の開口部２ａに嵌込まれるようになっている。
【００２３】
この接着用部材３の前面部３０、底面部３１、後面部３２の形状は、仮止用部材２の前面部２０、底面部２１、後面部２２の形状と同一であって、前面部３０の上端には仮止用部材２の係合耳縁２３に内側から係合させる断面が略Ｌ字型の係合部３３が形成されており、後面部３２の上端には、軒樋の後側耳部１０ｂの底面に下方から係止させる係止部３４が略９０°の角度で内側に突設されている。尚、係止部３４は、後面部３２の上端の肉厚が大きくて軒樋の後側耳部１０ｂの底面に後面部３２の上端を外れないように確実に係止させることができる場合は省略してもよい。
【００２４】
次に、図５、図６、図７、図８を参照して、上記の軒樋用内継手１を用いた軒樋接続方法を説明する。
【００２５】
まず、図５、図７に示すように、接続すべき双方の軒樋１０、１０に仮止用部材２を嵌込んで、係合耳縁２３、２４を軒樋１０、１０の耳部１０ａ、１０ｂに係合させ、仮止用部材２の中央の目印２５に合わせて、双方の軒樋１０、１０の端部同士を突き合わせて仮止めする。そして、この仮止め状態で、接続される全ての軒樋１０のバランスを充分に調整する。その場合、仮止用部材２の前面部２０、２０と後面部２２、２２は補強材４によって内側に大きく変形しないように補強されているため、係合耳縁２３、２４が軒樋１０の耳部１０ａ、１０ｂから外れて仮止めが解除される心配はない。
【００２６】
次いで、図６、図８に示すように、接着用部材３の外面に接着剤を塗布し、その後面部３２上端の係止部３４を軒樋の後側耳部１０ｂの底面に係止させて、その係止部分を支点として接着用部材３を下方に回動させ、前面部３０上端の係合部３３を接着用部材３の弾性変形を利用して軒樋の前側耳部１０ａと仮止用部材２の係合耳縁２３に係合させて接着用部材３を仮止用部材２の開口部２ａに嵌込み、双方の軒樋１０、１０の端部内面に接着用部材３を密着させた状態で強固に接着することにより軒樋１０、１０を水密的に接続する。
【００２７】
以上のように軒樋用内継手１を用いて軒樋１０、１０を接続すると、内継手１が見えないので、建物の美観を損なうことがない。しかも、この軒樋用内継手１は仮止用部材２と接着用部材３を別体にし、仮止用部材２で軒樋１０、１０を仮止めして位置調整を充分に行なってから接着用部材３に接着剤を塗布して接着できるようにしたため、調整中に接着剤が乾いたり掻き取られたりすることがなく、強固に軒樋１０、１０を接続することができる。また、仮止用部材２の長さ方向中央に目印２５を付けたので、軒樋１０、１０の端部を仮止用部材２の中央で突き合わせる作業がし易くなって施工性が向上する。
【００２８】
また、本発明の軒樋用内継手１は、前記の接着用部材３に代えて、望ましくは図４に示すような接着用部材３Ａも採用し得るものである。即ち、図４に示す接着用部材３Ａは、図３に示す接着用部材３の外面に、前面部３０から底面部３１を経て後面部３２に至る４本の溝３ａを設け、それぞれの溝３ａに合成ゴム等からなる防水用のパッキン３ｂを嵌着すると共に、溝３ａ、３ａの間に接着剤塗布部の目印３ｃを左右それぞれ２箇所ずつ罫書きで付けたものである。この接着用部材３Ａは溝３ａを設けたので、図３に示す接着用部材３よりも、前面部３０、底面部３１、後面部３２の厚みが増している。
【００２９】
上記のような接着用部材３Ａを用いると、たとえ接着剤の塗布が不十分であったとしても、パッキン３ｂが軒樋１０、１０の接続端部内面に密着して防水作用を発揮するため軒樋１０、１０の接続箇所から水が漏れ出すのを防ぐことができるし、また、接着剤を過剰に塗布したとしてもパッキン３ｂの外側に接着剤がはみ出すこともない。更に、軒樋１０、１０の端部相互の多少のズレは柔軟なパッキン３ｂによって修正することができる。尚、接着用部材３Ａに設ける溝３ａの本数は２本でもよく、接着剤塗布部の目印３ｃは罫書き以外の手段で付けてもよい。
【図面の簡単な説明】
【００３０】
【図１】本発明の一実施形態に係る軒樋用内継手の斜視図である。
【図２】同内継手の仮止用部材を示す斜視図である。
【図３】同内継手の接着用部材を示す斜視図である。
【図４】本発明の他の実施形態に係る軒樋用内継手の接着用部材を示す斜視図である。
【図５】仮止用部材で軒樋を仮止めした状態を示す斜視図である。
【図６】同内継手で軒樋を接続した状態を示す斜視図である。
【図７】仮止用部材で軒樋を仮止めした状態を示す断面図である。
【図８】同内継手で軒樋を接続した状態を示す断面図である。
【符号の説明】
【００３１】
１    軒樋用内継手
２    仮止用部材
２ａ  開口部
３    接着用部材
３ａ  溝
３ｂ  パッキン
３ｃ  接着剤塗布部の目印
４    補強材
１０  軒樋
２０  内継手本体の前面部
２１  内継手本体の底面部
２２  内継手本体の後面部
２５  内継手本体の長さ方向の中間の目印
３０  接着用部材の前面部
３１  接着用部材の底面部
３２  接着用部材の後面部
【図１】
2006045767.tif 000003
【図２】
2006045767.tif 000004
【図３】
2006045767.tif 000005
【図４】
2006045767.tif 000006
【図５】
2006045767.tif 000007
【図６】
2006045767.tif 000008
【図７】
2006045767.tif 000009
【図８】
2006045767.tif 000010